(57)【要約】【課題】おとり鮎への取り付けが簡単で、取り付け後はおとり鮎の体から外れにくく、しかも、おとり鮎にかかる負担が少ない逆さ鈎を提供する。【解決手段】軸部12と、軸部12の一端から延出され、おとり鮎Dに鈎着されるフック部14と、軸部12の他端に形成され、ハリスf2に取着される糸取着部16とで構成された逆さ鈎10であって、フック部14は、その先端部14aが軸部12に近接するようフック状に曲成されると共に、先端部14aより突出する鈎先Aが軸部12から離間し且つその軸線Lがフック部14によって形成される平面Pと交差する方向に屈曲されていることを特徴とする。【選択図】図１
2008148608.tif 000002
【特許請求の範囲】
【請求項１】
軸部と、前記軸部の一端から延出され、おとり鮎に鈎着されるフック部と、前記軸部の他端に形成され、ハリスに取着される糸取着部とで構成された逆さ鈎であって、
前記フック部は、その先端部が前記軸部に近接するようフック状に曲成されると共に、
前記先端部より突出した鈎先が前記軸部から離間し且つその軸線が前記フック部によって形成される平面と交差する方向に屈曲されていることを特徴とする逆さ鈎。
【発明の詳細な説明】
【技術分野】
【０００１】
本発明は、鮎の友釣り仕掛けに使用する逆さ鈎に関する。
【背景技術】
【０００２】
鮎の友釣りは、おとり鮎(友鮎)を野鮎の縄張りに進入させ、おとり鮎を攻撃しに来た野鮎を掛け鈎で引っ掛けて釣る釣法であり、その仕掛けの一例として、図５に示すように、釣竿(図示せず)から導出された道糸(f1)に、鼻環(1)と背鈎(3)とを接続すると共に、背鈎(3)から導出されたハリス(f2)に、おとり鮎(D)の尻ビレの付け根近傍に取り付けられる逆さ鈎(5)と、野鮎を引っ掛けるための掛け鈎(7)とを装着したものが挙げられる。
【０００３】
このような仕掛けを構成する部材のうち、「逆さ鈎(5)」は、掛け鈎(7)がおとり鮎(D)の尻尾の後方に配置されるよう固定するための鈎であり、掛け鈎(7)が鮎の尻尾から余り垂れ下がらないように掛け鈎(7)から５〜６ｃｍ位手前の位置でハリス(f2)に取り付けられる。そして、ハリス(f2)に取り付けられた逆さ鈎(5)は、掛け鈎(7)に野鮎が掛かった際、おとり鮎(D)の体から離脱するように、おとり鮎(D)の尻ビレの付け根近傍の皮の部分に浅く刺して使用される。
【０００４】
ここで、逆さ鈎(5)は、上述のように、おとり鮎(D)の尻ビレの付け根近傍に浅く刺して使用するものであるから、おとり鮎(D)を泳がせている間に簡単に外れてしまう虞がある。尻ビレの付け根近傍に浅く刺した逆さ鈎(5)がおとり鮎(D)の体から外れると、掛け鈎(7)が下方へ垂れ下がり、川底の岩などに引っ掛かるようになる。川底の岩などに掛け鈎(7)が引っ掛かると、水中を泳いでいるおとり鮎(D)に抵抗がかかるようになり、おとり鮎(D)は(その性質上)この抵抗に抗して前進しようとする。そうすると、おとり鮎(D)がすぐに弱ってしまうのと同時に、掛け鈎(7)の鈎先を傷めてしまうという問題が生じる。
【０００５】
そこで、逆さ鈎(5)がおとり鮎(D)から簡単に外れるのを防止すべく、図６に示すように、逆さ鈎(5)の軸部(5a)に、鈎先(5b)に向けて斜めに突き出る弾性突出片(5c)を取り付ける技術が提案されている（例えば、特許文献１参照。）。
【０００６】
かかる技術によれば、弾性突出片(5c)が軸部(5a)と鈎先(5b)との間の隙間を塞ぐため、逆さ鈎(5)がおとり鮎(D)から外れるのを防止することができる。
【特許文献１】特開平９−２６６７４３号公報
【発明の開示】
【発明が解決しようとする課題】
【０００７】
しかしながら、軸部(5a)と鈎先(5b)との間を弾性突出片(5c)で塞ぐ上述の技術では、鈎先(5b)の近傍に弾性突出片(5c)の先端部分が配設されているため、おとり鮎(D)の体に逆さ鈎(5)を刺し込む際、弾性突出片(5c)が邪魔になり、おとり鮎(D)への逆さ鈎(5)の刺し込みが面倒になるという問題があった。
【０００８】
また、弾性突出片(5c)を設けるためには、フトコロの幅(W1)を広くしなければならず、逆さ鈎(5)が大きくなる。そうすると、おとり鮎(D)にかかる負荷が大きくなり、おとり鮎(D)が早く弱ってしまうという問題もあった。
【０００９】
それゆえに、本発明の主たる課題は、おとり鮎への取り付けが簡単で、取り付け後はおとり鮎の体から外れにくく、しかも、おとり鮎にかかる負担が少ない逆さ鈎を提供することである。
【課題を解決するための手段】
【００１０】
請求項１に記載した発明は、「軸部(12)と、軸部(12)の一端から延出され、おとり鮎(D)に鈎着されるフック部(14)と、軸部(12)の他端に形成され、ハリス(f2)に取着される糸取着部(16)とで構成された逆さ鈎(10)であって、フック部(14)は、その先端部(14a)が軸部(12)に近接するようフック状に曲成されると共に、先端部(14a)より突出する鈎先(A)が軸部(12)から離間し且つその軸線(L)がフック部(14)によって形成される平面(P)と交差する方向に屈曲されている」ことを特徴とするものである。
【００１１】
この発明では、鈎先(A)が軸部(12)から離間し且つその軸線(L)がフック部(14)によって形成される平面(P)と交差する方向に屈曲されているので、鈎先(A)をおとり鮎(D)の尻ビレ近傍の刺し込み位置に突き当てると共に、軸部(12)がおとり鮎(D)の体に沿うように配置した後、この軸部(12)を糸取着部(16)が設けられた側へと引っ張ると、鈎先(A)が軸部(12)の側面から突出した幅(H)だけ正確におとり鮎(D)の体内に刺し込まれ、おとり鮎(D)の皮を貫通するようになる。このため、熟練者でなくても、おとり鮎(D)の体に常に一定の深さにて逆さ鈎(10)を浅く刺し込むことができ、逆さ鈎(10)を刺し込む際におとり鮎(D)が受けるストレスを軽減させることができる。
【００１２】
しかも、フック部(14)は、その先端部(14a)が軸部(12)に近接するようフック状に曲成されている。つまり、フック部(14)の入口が狭小となっているので、フック部(14)に鈎着したおとり鮎(D)の体がフック部(14)から簡単に外れるのを防止することができる。
【００１３】
さらに、本発明では、上述したように、フック部(14)の先端部(14a)がおとり鮎外れ防止機能を有していることから、従来のような弾性突出片を別途設ける必要がない。したがって、フトコロ(18)の幅(W2)を狭くして逆さ鈎(10)を小型化することができ、その結果、おとり鮎(D)にかかる負荷が小さくなり、おとり鮎(D)が弱るのを遅延させることができる。
【発明の効果】
【００１４】
本発明によれば、おとり鮎への取り付けが簡単で、取り付け後はおとり鮎の体から外れにくく、しかも、おとり鮎にかかる負担が少ない逆さ鈎を提供することができる。
【発明を実施するための最良の形態】
【００１５】
以下、本発明を図示実施例に従って説明する。図１は本発明の一実施例の逆さ鈎(10)を示す図であり、（ａ）はその正面図、（ｂ）はその平面図である。これらの図が示すように、本実施例の逆さ鈎(10)は、大略、軸部(12)、フック部(14)、および糸取着部(16)で構成されている（図２参照）。
【００１６】
軸部(12)は、逆さ鈎(10)のベースとなる金属製の線材である。この軸部(12)の一端には、その先端をフック状に延出したフック部(14)が形成されており、また、軸部(12)の他端には、その先端を折り返して糸取着部(16)が形成されている。
【００１７】
フック部(14)は、おとり鮎(D)の尻ビレの付け根近傍に鈎着される部分であり、その先端部(14a)が軸部(12)に近接するように曲成されている。なお、フック部(14)と軸部(12)との間にはフトコロ(18)が形成されている。
【００１８】
また、フック部(14)の先端部(14a)の先には尖鋭な鈎先(A)が設けられている。この鈎先(A)は軸部(12)から離間し且つその軸線(L)がフック部(14)によって形成される平面(P)と交差する方向に屈曲されている。ここで、鈎先(A)の軸線(L)とフック部(14)によって形成される平面(P)とがなす角度のうち、図１(ｂ)のような平面図に表われる角度(θ)は、おとり鮎(D)への刺し込み易さを考慮すると、概ね１５〜５０°程度が好適である。
【００１９】
糸取着部(16)は、ハリス(f2)に取り付けられる部分であり、本実施例では軸部(12)の他端を折り返して形成されている。また、この糸取着部(16)には、釣糸(9)を取り付けやすくするため、その端部が軸部(12)から離間する方向に折り曲げられた折曲端部(16a)が形成されている。
【００２０】
次に、以上のように構成された逆さ鈎(10)を使用した仕掛けについて簡単に説明する。図２は、本実施例の逆さ鈎(10)を使用した仕掛けである。この図が示すように、図示しない釣竿から導出された道糸(f1)に鼻環(1)と背鈎(3)とが接続されており、背鈎(3)から導出されたハリス(f2)には、野鮎を引っ掛けるための掛け鈎(7)が装着されると共に、この掛け鈎(7)よりも手前側に逆さ鈎(10)が取り付けられている。
【００２１】
本実施例の逆さ鈎(10)を使用する際には、鼻環(1)をおとり鮎(D)の鼻に挿通し、背鈎(3)を鮎背に引っ掛けると共に、逆さ鈎(10)をおとり鮎(D)の尻ビレの付け根近傍に刺し込む。そして、このような仕掛けを装着したおとり鮎(D)を川に放して泳がせ、野鮎がおとり鮎(D)に襲いかかるのを待つ。
【００２２】
本実施例の逆さ鈎(10)によれば、鈎先(A)が軸部(12)から離間し且つその軸線(L)がフック部(14)によって形成される平面(P)と交差する方向に屈曲されているので、鈎先(A)をおとり鮎(D)の尻ビレ近傍の刺し込み位置に突き当てると共に、軸部(12)がおとり鮎(D)の体に沿うように配置した後、この軸部(12)を糸取着部(16)が設けられた側へと引っ張ると、鈎先(A)が軸部(12)の側面から突出した幅(H)だけ正確におとり鮎(D)の体内に刺し込まれ、おとり鮎(D)の皮を貫通するようになる。このため、熟練者でなくても、おとり鮎(D)の体に常に一定の深さにて逆さ鈎(10)を浅く刺し込むことができ、逆さ鈎(10)を刺し込む際におとり鮎(D)が受けるストレスを軽減させることができる。
【００２３】
しかも、フック部(14)は、その先端部(14a)が軸部(12)に近接するようフック状に曲成されている。つまり、フック部(14)の入口が狭小となっているので、フック部(14)に鈎着したおとり鮎(D)の体がフック部(14)から簡単に外れるのを防止することができる。
【００２４】
さらに、上述したように、フック部(14)の先端部(14a)がおとり鮎外れ防止機能を有していることから、従来のような弾性突出片を別途設ける必要がない。したがって、フトコロ(18)の幅(W2)を狭くして逆さ鈎(10)を小型化することができ、その結果、おとり鮎(D)にかかる負荷が小さくなり、おとり鮎(D)が弱るのを遅延させることができる。
【００２５】
なお、上述の実施例では、一本の金属線材で構成された軸部(12)の両端部を曲成してフック部(14)及び糸取付部(16)を一体的に形成する場合を示したが、例えば、図３に示すように、軸部(12)とフック部(14)・鈎先(A)を鋼で形成し、糸取着部(16)をステンレスで形成する(つまりフック部(14)と糸取着部(16)とを別体で形成する)と共に、これらを溶接して一体化するようにしてもよい。なお、このようにフック部(14)及び鈎先(A)を鋼で形成することにより、逆さ鈎(10)の耐久性を向上させることができる。
【００２６】
また、糸取着部(16)として、軸部(12)の他端を折り返して形成したものを示したが、この糸取着部(16)は、ハリス(f2)から逆さ鈎(10)が容易に脱落しないように係止できるものであれば如何なる態様であってもよく、例えば、図４に示すようにハリス止め形状にて形成するようにしてもよい。
【図面の簡単な説明】
【００２７】
【図１】本発明の一実施例の逆さ鈎を示した図であり、（ａ）はその正面図、（ｂ）はその平面図である。
【図２】本実施例の逆さ鈎の使用態様を示す要部拡大図である。
【図３】本発明における他の実施例の逆さ鈎(フック部と糸取着部を別体で形成)を示す正面図である。
【図４】本発明における他の実施例の逆さ鈎(糸取着部をハリス止め形状にて形成)を示す正面図である。
【図５】従来の逆さ鈎の使用態様を示す図である。
【図６】従来の逆さ鈎を示す正面図である。
【符号の説明】
【００２８】
(10)…逆さ鈎
(12)…軸部
(14)…フック部
(14a)…先端部
(14b)…鈎先
(16)…糸取着部
(18)…フトコロ
(D)…おとり鮎
(f2)…ハリス
(L)…(鈎先の)軸線
(P)…(フック部によって形成される)平面
【図１】
2008148608.tif 000003
【図２】
2008148608.tif 000004
【図３】
2008148608.tif 000005
【図４】
2008148608.tif 000006
【図５】
2008148608.tif 000007
【図６】
2008148608.tif 000008